(57)【要約】【課題】結束物や梱包箱に紐を掛ける際、結ぶ必要がなく、簡単に結束でき、容易に緩まず、簡単に結束のやり直しができる留め具を提供する。【解決手段】本考案による結束用留め具は、プラスッチック製の横長の平板に、荷造り用平テープが巻き付けられる第１巻付部と第２巻付部が設けられ、各巻付部は、２枚の翼板で構成され、この２枚の翼板は、平板に一端を残して背中合わせに成形され、平板の同じ側に傾斜されて、各先端が平板から突出している。【選択図】図１
0003114873.tif 000002
【実用新案登録請求の範囲】
【請求項１】
プラスチック製の横長の平板に、荷造り用平テープが巻き付けられる第１巻付部と第２巻付部が設けられ、前記各巻付部は、２枚の翼板で構成され、前記２枚の翼板は、前記平板に一端を残して背中合わせに成形され、前記平板の同じ側に傾斜されて、各先端が前記平板から突出していることを特徴とする結束用留め具。
【請求項２】
前記翼板は、先端を切り出された元の孔に押し込んで固定できることを特徴とする請求項１に記載の結束用留め具。
【請求項３】
前記平板に取っ手が設けられることを特徴とする請求項１に記載の結束用留め具。
【請求項４】
前記第１巻付部の２枚の前記翼板が前記平板の一方の側に突出し、前記第２巻付部の２枚の前記翼板が前記平板の他方の側に突出していることを特徴とする請求項３に記載の結束用留め具。
【考案の詳細な説明】
【技術分野】
【０００１】
本考案は、ダンボール箱、新聞紙、雑誌などを結束する際の留め具に関する。
【背景技術】
【０００２】
通常、ダンボール箱、新聞紙、雑誌などを結束する場合、紐が結束物に回し掛けされ、端部を結んで縛っている。平坦にされた多数のダンボール箱を重ねて縛るような場合、一方の側に紐を回して縛り、次に他方の側を別の紐で縛ると、最初に結わいた方の紐が緩むことがある。その場合、再度、結び直しをしなくてはならないが、結び目が解けずに時間がかかってしまうとの問題がある。また、１回で縛るような場合であっても、紐を強く引いた状態で結び目を作るには、結束物を押さえている手を離して両手で紐を引かねばならないので、きつく縛ることができない。
【０００３】
例えば、十字結束用の留め具として、結束用紐を通す単純孔または切り込み付き孔を設けた留め具が開示されている。このような留め具を使用する場合、紐が交差して十字となる部分では、結び目を作る必要がない。しかし、紐の始点と終点は、依然として結ぶ必要がある。
【特許文献１】特開平１０−１７２０２４号公報
【考案の開示】
【考案が解決しようとする課題】
【０００４】
本考案の目的は、結束物や梱包箱に紐を掛ける際、簡単に結束でき、容易に緩まず、簡単に結束のやり直しができる留め具を提供することにある。
【課題を解決するための手段】
【０００５】
上記の目的を達成するため、本考案による結束用留め具は、プラスッチック製の横長の平板に、荷造り用平テープが巻き付けられる第１巻付部と第２巻付部が設けられ、前記各巻付部は、２枚の翼板で構成され、前記２枚の翼板は、前記平板に一端を残して背中合わせに成形され、前記平板の同じ側に傾斜されて、各先端が前記平板から突出していることを特徴とする。
【０００６】
前記翼板は、先端を切り出された元の孔に押し込んで固定できることが好ましい。
【０００７】
前記平板に取っ手が設けられることが好ましい。
【０００８】
前記第１巻付部の前記２枚の翼板が前記平板の一方の側に突出し、前記第２巻付部の前記２枚の翼板が前記平板の他方の側に突出していることが好ましい。
【考案の効果】
【０００９】
本考案による請求項１の結束用留め具によれば、荷造り用平テープを巻付部に巻きつけると、翼板と平板のなす楔形の隙間に荷造り用平テープが挟み込まれる。従って、結ぶ目を作る必要がなく結束が簡単にできる。また、挟まれた荷造り平テープは、楔形の隙間に翼板の弾性力と結束物または梱包物の広がろうとする力がかかるので容易には緩まない。さらに、荷造り用平テープの端点を逆に回すことで締め直しが簡単である。一方の手で留め具を押さえ、他方の手で荷造り用平テープを引っ張れることから、結束物または梱包物をきつく縛ることができる。加えて、構造が簡単なので量産することができる。
【００１０】
本考案の請求項２によれば、翼板の先端を元の孔に押し込んで固定できるので、翼板が結束物の上面に突出せず安全である。また、結束物を安定して積み重ねることができる。結束状態をより長く保持することができる。
【００１１】
本考案の請求項３によれば、結束用留め具に取っ手を設けたので、手に下げて持つような場合に便利である。
【００１２】
本考案の請求項４によれば、第１巻付部と第２巻付部の２枚の翼板を、それぞれ平板の一方の側と他方の側に突出させたので、結束用留め具を立てて使用する場合に便利である。
【考案を実施するための最良の形態】
【００１３】
以下、図面を参照して本考案による結束用留め具について説明する。
【実施例１】
【００１４】
図１は、本考案による実施例１の結束用留め具の斜視図である。結束用留め具１００は、プラスチック製の横長の平板１を加工したものである。厚さは０．５ｍｍ程度の薄いものでよい。荷造り用平テープ５が巻き付けられる２つの巻付部、第１巻付部２、第２巻付部３が両端近傍に設けられる。第１巻付部２は荷造り用平テープ５の始点が巻き付けられ、第２巻付部３は１本の荷造り用平テープ５の終点が巻き付けられる。第１巻付部２、第２巻付部３は、２枚の翼板４ａ、４ｂを有する。翼板４ａ、４ｂは、平板１を加工したもので、一端を残して背中合わせに形成し、平板１の同一側（上側）に傾斜させて、各先端を平板１から突出させている。ここで翼板は、第１巻付部２と第２巻付部３のどちらも、平板１の上側に傾斜させている。この翼板４ａ、４ｂに荷造り用平テープ５を巻き付ける。なお、傾斜は荷造り用平テープ５が掛かる程度に小さくてよい。図１では、２つの巻付部の翼板４ａ、４ｂは、どちらも平板１の長手方向を向いて並んでいるが、両方を短手方向に向けて配置してもよい。一方の巻付部の翼板４ａ、４ｂを長手方向に向け、他方の巻付部の翼板４ａ、４ｂを短手方向に向けて配置してもよい。
【００１５】
荷造り用平テープ５の巻付部への巻き付け方は、例えば次のように行なう。引出円Ｃ１に示すように、荷造り用平テープ５の端点である始点１１から、矢印で示す方向に、第１巻付部２の翼板４ａと翼板４ｂの両方の下をくぐらせて巻き付ける。結束物などを回した荷造り用平テープ５は、引出円Ｃ２に示すように、第２巻付部３の翼板４ａと翼板４ｂの両方の下をくぐらせて巻き付ける。端点である終点１２に結び目を作る必要はなく、終点１２となる端点を荷造り用平テープ５の下にくぐらせておく程度で、重量物でもほどけることはない。これは、翼板４ａ、４ｂは平板１に対して傾斜しているから楔形が形成され、ここに荷造り用平テープ５が入り込み、翼板４ａ、４ｂの弾性力で荷造り用平テープ５の動きを押さえるからである。しかも、荷造り用平テープ５は、２枚の翼板４ａ、４ｂの下をくぐらせているのではずれにくい。なお、平テープではなく丸紐を使用したような場合、丸紐は楔形の奥まで入り込めないので、翼板４ａ、４ｂの押さえる力は弱くなる。
【００１６】
翼板４ａ、４ｂは、荷造り用平テープ５を巻き付けた後、上から押すと、先端が切り出した元の孔１０に摩擦で固定できる。これは、翼板４ａ、４ｂの先端が孔１０に固定できる程度に少し引き伸ばされていることによる。逆に孔１０を少し狭めてもよい。
【００１７】
図２は、図１の結束用留め具１００で結束物を縛った例である。結束物７を縛るため、結束用留め具１００を２個と荷造り用平テープ５を使用した。新聞紙などの結束物は、何段にも重ねるが、結束用留め具１００の翼板の突出はわずかであり、また、孔１０に押し込めることもできるので、積み重ねても安定である。図２において、一方の結束用留め具１００を他方の結束用留め具１００に交差するように配置して、十文字縛りにすることもできる。引出円Ｃ３には、荷造り用平テープ５を巻き付けた後に、翼板４ａ、４ｂを上から押して結束用留め具１００を平坦にした状態を示す。
【実施例２】
【００１８】
図３は、本考案による取っ手が設けられた結束用留め具の斜視図である。結束用留め具２００は、その上部に取っ手８が設けられている。この結束用留め具２００は立てて使用するものである。第１巻付部２と第２巻付部３は長手方向の底部両端近傍に設けられる。第１巻付部２、第２巻付部３は、２枚の翼板４ａ、４ｂを有する。なお、第１巻付部２の翼板４ａ、４ｂは平板１の一方の側に突出して、第２巻付部３の翼板４ａ、４ｂは平板１の他方の側に突出させている。
【００１９】
荷造り用平テープ５の巻付部への巻き付け方は、一例として次のように行う。引出円Ｃ３に示すように、荷造り用平テープ５の始点１１を始めとして、第１巻付部２の翼板４ａと翼板４ｂの両方の下をくぐらせて右回りに巻き付ける。結束物などを回した荷造り用平テープ５は、引出円Ｃ２に示すように、第２巻付部３の翼板４ａと翼板４ｂの両方の下をくぐらせて巻き付ける。端点である終点１２に結び目を作らなくても、ほどけることはない。
【００２０】
図４は、図３の結束用留め具２００で梱包箱を縛った例である。梱包箱９を縛るには、結束用留め具２００が１個でよい。取っ手８は手を入れて下げることができる。取っ手８の下側の両端が平板１で繋がっているので、梱包箱９が重い場合でも、荷造り用平テープ５が梱包箱９の中央に寄ることがない。荷造り用平テープ５は、始点１１を始めとして第１巻付部２に巻き付け、矢印で示すように掛け渡し、最後に終点１２で終わるように第２巻付部３に巻き付ける。この順番は丸で囲った数字１〜１４で示している。荷造り用平テープ５は１本でよい。なお、このような巻き付けに限らず、例えば、左右の湾曲部に荷造り用平テープ５を掛けて縛る方向を変えてもよい。
【００２１】
結束用留め具２００は、平板１を立てて使用するようにしたが、実施例１で示す結束用留め具１００の中央部に取っ手８を設ければ、横置きで使用することもできる。その場合、第１巻付部２と第２巻付部３は両方とも同一面側に突出するから、荷造り用平テープ５は、第１巻付部２から第２巻付部３へ掛け渡たされるだけとなる。そのため、この梱包をより確実にするため、結束用留め具１００を１枚追加して十文字縛りにしてもよい。
【００２２】
図５は、市販の荷造り用平テープの外観図である。荷造り用平テープ５はポリプロピレン製で幅は５ｃｍ程度である。きわめて薄いが引っ張り力には強い。
【産業上の利用可能性】
【００２３】
本考案は、新聞、雑誌などを結束する留め具であり、家庭用に限らず、業務用にも好適である。
【図面の簡単な説明】
【００２４】
【図１】本考案による結束用留め具の斜視図である。（実施例１）
【図２】図１の結束用留め具で結束物を縛った例である。（実施例１）
【図３】本考案による取っ手が設けられた結束用留め具の斜視図である。（実施例２）
【図４】図３の結束用留め具で梱包箱を縛った例である。（実施例２）
【図５】市販の荷造り用平テープの外観図である。
【００２５】
１    平板
２    第１巻付部
３    第２巻付部
４ａ、４ｂ    ２枚の翼板
５    荷造り用平テープ
７    結束物
８    取っ手
９    梱包箱
１０    孔
１１    始点
１２    終点
１００    結束用留め具（取っ手なし、実施例１）
２００    結束用留め具（取っ手あり、実施例２）
【図１】
0003114873.tif 000003
【図２】
0003114873.tif 000004
【図３】
0003114873.tif 000005
【図４】
0003114873.tif 000006
【図５】
0003114873.tif 000007